(57)【要約】【課題】作業性を向上させ、なおかつ、熱交換効率の高い空気熱交換器を有したヒートポンプ給湯機を提供すること。【解決手段】圧縮機、水−冷媒熱交換器、減圧手段、空気熱交換器２を順次接続して冷媒を循環させる冷媒循環回路を備え、空気熱交換器２が複数の熱交換器ユニット１３で構成されていることにより、複数の熱交換器ユニット１３を上下に積み上げるだけで、大型の空気熱交換器を作ることができ、なおかつ、折り曲げる作業も熱交換器ユニット１３それぞれに対して行うだけでよいので、作業性も向上する。【選択図】図２
2007278583.tif 000002
【特許請求の範囲】
【請求項１】
圧縮機、水−冷媒熱交換器、減圧手段、空気熱交換器を順次接続して冷媒を循環させる冷媒循環回路を備え、前記空気熱交換器が複数の熱交換器ユニットで構成されていることを特徴とするヒートポンプ給湯機。
【請求項２】
熱交換器ユニットは、複数列のフィンチューブ熱交換器で構成されていることを特徴とする請求項１に記載のヒートポンプ給湯機。
【請求項３】
熱交換器ユニットは、内側列のフィンチューブ熱交換器と外側列のフィンチューブ熱交換器で構成され、前記内側列のフィンチューブ熱交換器と前記外側列のフィンチューブ熱交換器のプレートフィンの数を略同数とすることを特徴とする請求項１または２に記載のヒートポンプ給湯機。
【請求項４】
内側列のフィンチューブ熱交換器の冷媒が流通するロングチューブと外側列のフィンチューブ熱交換器のロングチューブとの長さを略同一とすることを特徴とする請求項２または３に記載のヒートポンプ給湯機。
【発明の詳細な説明】
【技術分野】
【０００１】
本発明は、ヒートポンプ式給湯機において、空気と冷媒とを熱交換する空気熱交換器に関するものである。
【背景技術】
【０００２】
従来の空気調和機の室外ユニットの構成では、熱交換器が複数列に構成され、Ｌ字形状に折り曲げられて配設されている（例えば、特許文献１参照）。
【特許文献１】特開平５−６６０２８号公報
【発明の開示】
【発明が解決しようとする課題】
【０００３】
しかしながら、従来の空気熱交換器は上端から下端まで一体的に形成され、Ｌ字形状に折り曲げられているが、ヒートポンプユニットと貯湯ユニットとを同一筐体内に配設した一体型ヒートポンプ給湯機に使用される大きな空気熱交換器の場合、上端から下端まで一体的に形成してＬ字形状に折り曲げるには、作業がしづらく、生産性が低くなってしまうという課題を有していた。
【０００４】
本発明は、前記従来の課題を解決するもので、作業性を向上させ、なおかつ、熱交換効率の高い空気熱交換器を有したヒートポンプ給湯機を提供すること目的とする。
【課題を解決するための手段】
【０００５】
前記従来の課題を解決するために、本発明のヒートポンプ給湯機は、圧縮機、水−冷媒熱交換器、減圧手段、空気熱交換器を順次接続して冷媒を循環させる冷媒循環回路を備え、前記空気熱交換器が複数の熱交換器ユニットで構成されていることを特徴とするものである。
【０００６】
これによって、複数の熱交換器ユニットを上下に積み上げることで大型の空気熱交換器を作ることができ、なおかつ、熱交換器ユニットを折り曲げるだけでよいので、大型の空気熱交換器を折り曲げるのに比べて、作業性が向上する。
【発明の効果】
【０００７】
作業性を向上させ、なおかつ、熱交換効率の高い空気熱交換器を有したヒートポンプ給湯機を提供することができる。
【発明を実施するための最良の形態】
【０００８】
第１の発明は、圧縮機、水−冷媒熱交換器、減圧手段、空気熱交換器を順次接続して冷媒を循環させる冷媒循環回路を備え、前記空気熱交換器が複数の熱交換器ユニットで構成されていることにより、複数の熱交換器ユニットを上下に積み上げるだけで、大型の空気熱交換器を作ることができ、なおかつ、折り曲げる作業も熱交換器ユニットそれぞれに対して行うだけでよいので、作業性も向上する。
【０００９】
第２の発明は、特に第１の発明において、熱交換器ユニットは、複数列のフィンチューブ熱交換器で構成されていることにより、より熱交換効率を向上させることができる。
【００１０】
第３の発明は、特に第１または第２の発明において、熱交換器ユニットは、内側列のフィンチューブ熱交換器と外側列のフィンチューブ熱交換器で構成され、前記内側列のフィンチューブ熱交換器と前記外側列のフィンチューブ熱交換器のプレートフィンの数を略同
数とすることにより、内側列と外側列のフィンチューブ熱交換器の部品の共用化が図れ、生産性がさらに向上する。
【００１１】
第４の発明は、特に第２または第３の発明において、内側列のフィンチューブ熱交換器の冷媒が流通するロングチューブと外側列のフィンチューブ熱交換器のロングチューブとの長さを略同一とすることにより、内側列と外側列のフィンチューブ熱交換器の部品の共用化が図れ、生産性が向上する。
【００１２】
（実施の形態１）
図１は、本発明の第１の実施の形態におけるヒートポンプ給湯機の上面構成図である。図１において、本発明のヒートポンプ給湯機は一つの筐体にヒートポンプユニットおよび給湯ユニットを配設した一体型のヒートポンプ給湯機であり、空気熱交換器２は、基板１上に本体の背面と左側面に対向するように配設され、外側列のフィンチューブ熱交換器２ａと内側列のフィンチューブ熱交換器２ｂから構成され、Ｌ字形状に曲げられている。また空気熱交換器２に送風するように室内ファン４が空気熱交換器２の前面に配設されており、また仕切り板２２を介し、貯湯タンク２１が右側面に配設されている。
【００１３】
図２は、本発明の第１の実施の形態におけるヒートポンプ給湯機の空気熱交換器２の正面図である。図２において、空気熱交換器２は、熱交換器ユニット１３を上下に重ねて形成されている。熱交換器ユニット１３内を貫通するロングチューブ１２は、各熱交換器ユニット１３で同じ長さで構成される。
【００１４】
以上のように、熱交換器ユニット１３を上下に重ねて空気熱交換器２を形成することで、大型の空気熱交換器を作ることができるだけでなく、熱交換器ユニット１３を折り曲げ、重ねることで大型の空気熱交換器を作ることができるので、加工性および生産性が向上し、その結果、作業性も向上する。また、熱交換器ユニット１３を重ねるだけで、大型化を図ることができるので、熱交換効率をさらに上げたいときには、複数の熱交換器ユニット１３を重ねるだけで熱交換効率を上げることができる。
【００１５】
さらに、外側列のフィンチューブ熱交換器２ａと内側列のフィンチューブ熱交換器２ｂの部品を共用化することで、コストダウンを図ることができる。
【産業上の利用可能性】
【００１６】
以上のように、本発明にかかるヒートポンプ給湯機の空気熱交換器は、ヒートポンプサイクルと給湯サイクルが一体に構成された一体型ヒートポンプ式給湯機、別体に構成された分離型ヒートポンプ式給湯機、給湯用熱交換器で加熱したお湯をそのまま出湯できる直接出湯型ヒートポンプ式給湯機などの各種ヒートポンプ給湯機の水−冷媒熱交換器に適用でき、給湯機能の他に、浴槽給湯、暖房機能、乾燥機能を有するヒートポンプ装置にも適用できる。
【図面の簡単な説明】
【００１７】
【図１】本発明の第１の実施の形態におけるヒートポンプ給湯機の上面図
【図２】同実施の形態におけるヒートポンプ給湯機の空気熱交換器正面図
【符号の説明】
【００１８】
１  基板
２  空気熱交換器
２ａ  外側列のフィンチューブ熱交換器
２ｂ  内側列のフィンチューブ熱交換器
４  室内ファン
１２  ロングチューブ
１３  熱交換器ユニット
２１  貯湯タンク
２２  仕切り板
【図１】
2007278583.tif 000003
【図２】
2007278583.tif 000004